(57)【特許請求の範囲】
【請求項１】
装置本体に対して開閉可能であって、原稿を搬送する搬送手段と、原稿の画像情報を読み取る読取手段とを備える画像読取装置において、
前記読取手段は、前記搬送手段の原稿搬送経路を挟んで前記搬送手段と反対側に配置され、前記原稿の搬送方向と直交する方向に沿って線上に複数の発光素子が配置された光源、前記原稿からの反射光及び透過光を結像させ画像情報を受光する受光手段、及び、前記搬送手段の原稿搬送路を挟んで前記光源に対向する側に配置される導光部材を備え、
前記光源は全部又は選択された一部の発光素子を選択して発光できるように構成され、
前記導光部材は２つの部材から構成され、
一方の部材は、前記原稿搬送方向と直交する長手方向に沿って配置され、長手方向の少なくとも一方側の端部に受光面と、前記搬送手段の原稿搬送経路を挟んで前記原稿搬送経路と反対側に配置されて前記受光面へ入射した光を前記導光部材の長手方向に沿うよう反射させる反射部と、該反射部で反射された光を搬送されてくる原稿へ出射する射出面と備え、
他の部材は、前記原稿搬送方向と直交する方向に延設されて配置され、前記選択された一部の発光素子からの光が入射する受光面と、該受光面から入射した光を反射させて前記一方の部材の前記受光面へ向かわせる斜面と、前記一方の部材の前記受光面へ光を射出する射出面とを備え、
前記一方の部材の前記反射部が、前記他の部材側から前記原稿搬送方向と直交する長手方向に沿って前記原稿搬送経路へ近づくように傾斜している
ことを特徴とする画像読取装置。
【請求項２】
前記導光部材の前記一方の部材が、前記原稿搬送方向と直交する長手方向の両側の端部に前記受光面をそれぞれ有するとともに、それぞれの受光面に前記他の部材を対応させて備え、
前記一方の部材の前記反射部が、それぞれの前記他の部材側から前記原稿搬送方向と直交する長手方向に沿って該長手方向の中央部へ向けて前記原稿搬送経路へ近づくように傾斜している
ことを特徴とする請求項１に記載の画像読取装置。
【請求項３】
前記導光部材の前記一方の部材と他の部材が一体に構成されていることを特徴とする請求項１に記載の画像読取装置。
【請求項４】
前記導光部材は、原稿からの反射光の読取位置と異なる位置に配置されることを特徴とする請求項１乃至請求項３のいずれかに記載の画像読取装置。
【請求項５】
前記導光部材を複数並設してなることを特徴とする請求項１乃至請求項４のいずれかに記載の画像読取装置。
【請求項６】
前記複数並設した導光部材の間隔を開けて空気層を配置してなることを特徴とする請求項５に記載の画像読取装置。
【請求項７】
請求項１乃至請求項６のいずれかに記載の画像読取装置を備えることを特徴とする画像形成装置。
【発明の詳細な説明】
【技術分野】
【０００１】
本発明は原稿読取装置及び画像形成装置に係り、特に反射原稿の他フィルム等の透過原稿を読み取ることができる画像読取装置及びこの画像読取装置を備えた画像形成装置に関する。
【背景技術】
【０００２】
画像形成装置、例えば複写装置やファクシミリ装置には、原稿読取装置が配置され、様々な原稿を読み取り、画像データとして出力する。多くの読取装置では反射原稿の読み取りを標準的な機能として装備している。ところで、画像読取装置で読み取る原稿には紙原稿などの反射原稿の他、写真ネガフィルム、ポジフィルム、Ｘ線写真フィルム、ＯＨＰシートなどの透過原稿がある。
【０００３】
画像読取装置で反射原稿を読み取る場合には、原稿面に照明光を当て、原稿面からの反射光をＣＣＤ等の光電素子で電気信号に変換するのが一般的である。これに対し、透過原稿の読み取り時には、原稿の裏側から照明光を当て、原稿面を通過した透過光を前記光電素子で読み取る必要がある。そのため、反射原稿と透過原稿の両方を読取可能にするためには、原稿に対して表裏両面から照明できるようにする必要がある。
【０００４】
このような要望を実現するため、一般的に原稿台の上に透過原稿用光源と透過原稿を押さえつける原稿押圧手段からなる透過原稿読取ユニットを配置することが行われる。また、光源として棒状光源を使用している場合は、透過原稿読取ユニットには、光源を移動させる駆動手段を備える。
【０００５】
特許文献１には、原稿台の下面を走査方向に移動可能な反射原稿読取用の光源及び反射ミラーからなる光源ユニット、及び前記反射原稿からの反射光を所定の方向に反射するミラーを有する読取装置本件と、前気読取装置本体上部に配され、前記原稿台上を移動可能な透過原稿読取用の棒状光源と、前記捧状光源を前記光源ユニットに同期して前記走査方向に移動させる駆動手段と、透過原稿読取時に前記原稿台上面を前記棒状光源と共に覆う開閉可能なカバーとを有する画像読取装置が記載されている。
【０００６】
また、特許文献２には、透過型原稿面上の一部を照明する光源を具備する画像読取装置であって、面発光する光源と、該光源から発する光束を導く導光体とを備え、該導光体の端面から放射し、その結果略１次元状に前記透過原稿面上を照明することを特徴とする。また、画像読み取り装置であって、導光体は該面発光の光源と対向する面に高反射コートを有し、該導光体の端面から放射し、その結果略１次元状に原稿面上を照明することを特徴とする。また、原稿面上の一部を照明する光源装置であって、２つの面発光光源から発する光束を導光体の両面からにて導く線状光源を備え、該導光体の端面から放射し、該２つの面発光光源に所定の形状を施し、その結果放射する光束が一様の分布を有し、略１次元状に原稿面上を照明するものが記載されている。
【０００７】
また、特許文献３には、反射原稿に対しては、反射原稿を搭載する反射原稿搭載手段と、所定の結像倍率に設定した反射用結像手段とを設け、反射原稿を固定し反射用読取光学系を移動させて画像情報を読み取り、透過原稿に対しては、透過原稿を搭載する透過原稿搭載手段と、反射用結像手段に対して異なる結像倍率に設定された透過用結像手段とを設け、透過用読取光学系を固定し透過原稿を移動させて画像情報を読み取り、反射原稿と透過原稿とでそれぞれ異なる結像倍率の結像手段を用いることにより、高画質な画像情報を有する透過原稿を高解像度で読み取り可能としたものが記載されている。
【０００８】
そして、特許文献４には、光源としてＬＥＤを、導光体として、円柱状、もしくはその一部が円柱形状よりなり、端部に光入射面、長手方向の一部の側面に光射出面、該光射出面と対向する側の一部の側面に鋸刃状の光反射面を有し、該鋸刃状の光反射面は、該円柱の円中心位置から該円柱の径の２０％以内の距離の範囲内に形成されている画像読取装置の光源が記載されている。
【発明の概要】
【発明が解決しようとする課題】
【０００９】
しかしながら、特許文献１に記載のものは、透過原稿読取時には、透過原稿読取用の棒状光源と、その光源を反射原稿読取用光源ユニットと同期させて移動させる駆動手段を備えた透過原稿読取ユニットを装着させる必要があり、このユニットは光源と駆動手段を備えているため、機械的接続だけでなく電気信号的接続も必要で、ユニットの装着と取り外しに非常に手間がかかっていた。
【００１０】
また、特許文献２に記載のものは、反射原稿と透過原稿の両方を読み取ることはできないという問題がある。
【００１１】
また、特許文献３に記載のものは、反射原稿と透過原稿の両者を読み取ることが可能であるが、透過原稿照明手段と透過原稿移動手段は、反射原稿とは別に必要であり構造が複雑であるという問題がある。
【００１２】
そして、特許文献４に記載のものは、透過原稿用光源は反射原稿用とは別の光源を用意する必要があり、反射原稿読取用の装置に装着するには電気的接続が必要で、装置の構造が複雑で装着時の操作も難しいという問題があった。
【００１３】
このように、従来技術では反射原稿及び透過原稿の両方の原稿を読み取れる画像読取装置を実現するためには、反射原稿及び透過原稿の両方の原稿に対して専用の光源を用意し、更に光源の移動手段又は原稿移動手段を設ける必要があった。また、反射原稿読取装置にオプションとして透過原稿読取装置を装着した場合には、反射原稿の読取時に透過原稿読取装置を取り外す必要があり、操作性が悪いという問題がある。
【００１４】
本発明は上記問題点を鑑みてなされたものであり、簡単な構成で反射原稿と透過原稿の両方の読取を可能にする装置を提供することを目的とする。
【課題を解決するための手段】
【００１５】
請求項１の発明は、
装置本体に対して開閉可能であって、原稿を搬送する搬送手段と、原稿の画像情報を読み取る読取手段とを備える画像読取装置において、
前記読取手段は、前記搬送手段の原稿搬送経路を挟んで前記搬送手段と反対側に配置され、前記原稿の搬送方向と直交する方向に沿って線上に複数の発光素子が配置された光源、前記原稿からの反射光及び透過光を結像させ画像情報を受光する受光手段、及び、前記搬送手段の原稿搬送路を挟んで前記光源に対向する側に配置される導光部材を備え、
前記光源は全部又は選択された一部の発光素子を選択して発光できるように構成され、
前記導光部材は２つの部材から構成され、
一方の部材は、前記原稿搬送方向と直交する長手方向に沿って配置され、長手方向の少なくとも一方側の端部に受光面と、前記搬送手段の原稿搬送経路を挟んで前記原稿搬送経路と反対側に配置されて前記受光面へ入射した光を前記導光部材の長手方向に沿うよう反射させる反射部と、該反射部で反射された光を搬送されてくる原稿へ出射する射出面と備え、
他の部材は、前記原稿搬送方向と直交する方向に延設されて配置され、前記選択された一部の発光素子からの光が入射する受光面と、該受光面から入射した光を反射させて前記一方の部材の前記受光面へ向かわせる斜面と、前記一方の部材の前記受光面へ光を射出する射出面とを備え、
前記一方の部材の前記反射部が、前記他の部材側から前記原稿搬送方向と直交する長手方向に沿って前記原稿搬送経路へ近づくように傾斜している
ことを特徴とする画像読取装置である。
【００１６】
請求項２の発明は、請求項１に記載の画像読取装置において、
前記導光部材の前記一方の部材が、前記原稿搬送方向と直交する長手方向の両側の端部に前記受光面をそれぞれ有するとともに、それぞれの受光面に前記他の部材を対応させて備え、
前記一方の部材の前記反射部が、それぞれの前記他の部材側から前記原稿搬送方向と直交する長手方向に沿って該長手方向の中央部へ向けて前記原稿搬送経路へ近づくように傾斜している
ことを特徴とする。
【００１７】
請求項３の発明は、請求項１に記載の画像読取装置において、前記導光部材の前記一方の部材と他の部材が一体に構成されていることを特徴とする。
【００１８】
請求項４の発明は、請求項１乃至請求項３のいずれかに記載の画像読取装置において、前記導光部材は、原稿からの反射光の読取位置と異なる位置に配置されることを特徴とする。
【００１９】
請求項５の発明は、請求項１乃至請求項４のいずれかに記載の画像読取装置において、前記導光部材を複数並設してなることを特徴とする。
【００２０】
請求項６の発明は、請求項５に記載の画像読取装置において、前記複数並設した導光部材の間隔を開けて空気層を配置してなることを特徴とする。
【００２１】
請求項７の発明は、請求項１乃至請求項６のいずれかに記載の画像読取装置を備えることを特徴とする画像形成装置である。
【発明の効果】
【００２２】
本発明に係る画像読取装置及び画像形成装置によれば、原稿搬送経路内に導光部材を備え、透過原稿読取時には、反射原稿の読み取りに用いる光源の一部の発光素子からの光を前記導光部材で導き原稿の透過像を得ることができるので、透過原稿読取用の専用の光源が不要で、電気的接続、透過原稿搬送手段がない簡単な構成で反射原稿及び透過原稿の両方が読み取れる他、透過原稿読取用に導光部材を装着した状態のままで、反射原稿を読み取ることができ原稿を取り扱うときの操作性がよい。
【図面の簡単な説明】
【００２３】
【図１】実施例に係る画像形成装置の概略構成を示す断面図である。
【図２】画像読取装置の要部の構造を示す部分断面図である。
【図３】図２中のＡ−Ａ線に相当する断面図である。
【図４】導光部材を示す斜視図である。
【図５】導光部材中の光の経路を示す模式図である。
【図６】第２の実施例に係る画像読取装置の導光部材を示す断面図である。
【図７】第３の実施例に係る画像読取装置の導光部材を示す断面図である。
【図８】導光部材を備えない背景板を使用した画像読取装置の要部の構成を示す部分断面図である。
【図９】第４の実施例に係る画像読取装置の透過原稿読取時の状態を示す要部拡大断面図である。
【図１０】第４の実施例に係る画像読取装置の反射原稿読取時の状態を示す要部拡大断面図である。
【図１１】第５の実施例に係る画像読取装置の導光部材を示す斜視図である。
【図１２】第５の実施例に係る画像読取装置の導光部材における光路を示す模式図である。
【図１３】第６の実施例に係る画像読取装置の作動を示すフローチャートである。
【図１４】第７の実施例に係る画像読取装置を示す断面図である。
【図１５】第７の実施例に係る画像読取装置の側面図である。
【図１６】第７の実施例に係る画像読取装置に使用する導光部材を示す斜視図である。
【図１７】第８の実施例に係る画像読取装置を示す断面図である。
【図１８】第８の実施例に係る画像読取装置に使用する導光部材を示す斜視図である。
【図１９】第９の実施例に係る導光部材を示す斜視図である。
【図２０】第１０の実施例に係る導光部材を示す斜視図である。
【図２１】第１１の実施例に係る導光部材を示す斜視図である。
【図２２】第１２の実施例に係る導光部材を示す斜視図である。
【発明を実施するための形態】
【００２４】
本発明に係る画像形成装置は、反射原稿及び透過原稿の読取を行うことができる。画像読取装置は、装置本体に対して開閉可能であって、原稿を搬送する搬送手段と、原稿の画像情報を読み取る読取手段とを備える。画像読取装置の読取手段は、前記搬送手段の原稿搬送経路を挟んで前記搬送手段と反対側に配置され、前記原稿の搬送方向と直交する方向に沿って線上に配置され光源、前記原稿からの反射光及び前記原稿からの透過光を結像させ画像情報を受光する受光手段、及び、前記搬送手段の原稿搬送路を挟んで前記光源に対向する側に配置される導光部材を備える。本例では、光源は前記導光部材に近接して配置された一部の発光素子を選択して発光できるように構成され、前記導光部材は、原稿搬送方向と直交する長手方向の少なくとも一方側に前記点灯される一部の発光素子からの光を受ける受光面と、前記受光面からの光を前記導光部材の長手方向に沿うよう反射させる反射部と、反射部で反射された光を搬送されてくる原稿へ出射する射出面と備える。
【００２５】
このような構成により、反射原稿を読み取るときには光源の全ての発光素子を発光させこの光で原稿の反射光を読み取る。また、透過原稿を読み取るときには、光源の一部の発光素子を発光させこの光を導光部材で原稿の反対側に導いて透過させ、この透過光を読み取る。
【００２６】
本例に係る画像読取装置によれば、原稿搬送経路内に導光部材を備え、透過原稿読取時には、反射原稿の読み取りに用いる光源の一部の発光素子からの光を前記導光部材で導き原稿の透過像を得ることができるので、透過原稿読取用の専用の光源が不要で、電気的接続、透過原稿搬送手段がない簡単な構成で反射原稿及び透過原稿の両方が読み取れる他、透過原稿読取用に導光部材を装着した状態のままで、反射原稿を読み取ることができ原稿を取り扱うときの操作性がよい。
【００２７】
本発明において、前記導光部材は２つの部材から構成され、一方の部材は前記発光した一部の発光素子からの光を受け他方の部材に導き、他の部材は原稿搬送方向と直交する方向に延設され、前記射出面を備えるものとできる。本例によれば読取条件により、様々な形状性能の導光部材を組み合わせて透過原稿を読み取るための最適な照明を行うことができる。
【００２８】
導光部材は一つの部材で構成することができる。本例によれば、一つの導光部材で透過原稿照明を実現でき、装置の構成をシンプルにできる。
【００２９】
また、本発明において、前記導光部材は、原稿からの反射光の読取位置と異なる位置に配置することができる。本例によれば、反射原稿と透過原稿のそれぞれに対する最適条件で原稿読取を行うことができる。
【００３０】
また、本発明において、画像読取装置は、原稿の搬送速度を可変とし、反射光の読み取り時と透過光の読み取り時とで原稿の搬送速度を変更することができる。原稿の種類により搬送速度を変更することにより、原稿種類に最適な光量で画像読み取りができ、画像品質が向上する。
【００３１】
更に本発明において、前記導光部材は、原稿をコンタクトガラスに押圧する押圧板に、前記射出面が原稿の搬送方向と直交する方向に沿うよう配置することができる。本例によれば、反射原稿に加えて透過原稿を特別の透過原稿搬送手段を配置しない簡単な構成で読み取ることができる。
【実施例】
【００３２】
以下本発明の実施例に係る画像形成装置について説明する。図１は実施例に係る画像形成装置の概略構成を示す断面図である。本例では画像形成装置としての複写機１１について説明する。複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３及び記録媒体搬送装置１４を収容する第１の装置本体１５と、原稿画像を読み取る画像読取装置１６と、画像読取装置１６を収容する第２の装置本体１７と、原稿を搬送する開閉体として圧板の機能を有する自動原稿搬送装置（以下、単にＡＤＦという）１８とを備えており、ＡＤＦ１８は第２の装置本体１７に図示していないヒンジ機構を介して第２の装置本体１７に開閉自在に搭載されている。
【００３３】
ＡＤＦ１８は、原稿束を載置可能な原稿載置台２０と、原稿載置台２０に載置された原稿束の上面に当接して原稿束を送り出す当接位置及び原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読取が終了した原稿を原稿排紙台２６に排紙する搬送ローラ対２７及び排紙ローラ対２８からなる原稿排紙手段２９とを備えている。
【００３４】
また、排紙ローラ対２８は、駆動ローラ２８ａと、駆動ローラ２８ａに摺接する従動ローラ２８ｂ及び従動ローラ２８ｃとを備えており、排紙ローラ対２８の近傍には切換爪３０が設けられている。
【００３５】
切換爪３０は、第１の切換位置と第２の切換位置との間で移動するようになっており、切換爪３０が第１の切換位置に切換えられると、駆動ローラ２８ａ及び従動ローラ２８ｂによって原稿が原稿排紙台２６に排紙されるようになっている。また、切換爪３０が第２の切換位置に切換えられると、駆動ローラ２８ａ及び従動ローラ２８ｃによって原稿がスイッチバック通路３１に搬送されるようになっている。
【００３６】
スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００３７】
また、画像読取装置１６は、それ自体周知のように、光学系３４を収容した第２の装置本体１７と、第２の装置本体１７の上部に位置する原稿台に固定配置されたコンタクトガラス３５及びスリットガラス３６とを備えている。
【００３８】
この画像読取装置１６にあっては、閉じられた原稿や本等からなる原稿をコンタクトガラス３５上に原稿を載置して、その原稿ＰをＡＤＦ１８によって押圧することにより、原稿を読み取ることができる。また、ＡＤＦ１８によって自動搬送される原稿はスリットガラス３６の読取位置で読み取られるようになっている。
【００３９】
即ち、画像読取手段としての光学系３４は、光源３７と第１ミラー３８とを有する第１走行体３９と、第２ミラー４０及び第３ミラー４１を有する第２走行体４２と、結像レンズ４３と、ＣＣＤイメージセンサ４４とを備えており、第１走行体３９及び第２走行体４２は、図１に示した位置から右方に移動し、このとき、光源３７から出射する光によって原稿を照明し、その反射光を反射光学系である第１ミラー３８、第２ミラー４０及び第３ミラー４１の順に反射した後、結像レンズ４３を通してＣＣＤイメージセンサ４４に入射する。このようにして原稿画像がＣＣＤイメージセンサ４４に結像されることにより、原稿の画像が読み取られる。また、ＡＤＦ１８によって原稿を読み取る場合には、図１中、右方に示す位置に第１走行体３９及び第２走行体４２を固定した状態で上述した手順で走行する原稿を読み取る。この画像読取装置１６は、上述した処理により反射原稿を読み取る。この画像形成装置での透過原稿の読取については後述する。
【００４０】
また、画像形成手段１２は、ドラム状の感光体からなる第１像担持体４５Ｙ、第２像担持体４５Ｃ、第３像担持体４５Ｍ及び第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。
【００４１】
また、第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００４２】
また、光書き込みユニット４８からは、上述した原稿の読取結果に応じた画信号に基づいて光変調されたレーザビームＬが出射されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００４３】
また、一次転写ローラ５０には、転写電圧が印加されることによって、第１像担持体４５Ｙ上に形成されたトナー像が図１中、矢印Ａ方向に回転する中間転写ベルト４６上に一次転写される。
【００４４】
トナー像転写後の第１像担持体４５Ｙ上に付着する転写残トナーは、クリーニング装置５１によって除去される。本実施の形態の複写機１１においては、第１像担持体４５Ｙと、その周囲に配設された帯電ローラ４７と、現像装置４９と、クリーニング装置５１とによって一体的なプロセスカートリッジが構成されている。
【００４５】
また、現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００４６】
一方、クリーニング装置５１によって、第１像担持体４５Ｙから除去されたトナーは、トナー搬送装置によって、図示していない廃トナー容器に搬送される。このように、現像容器５３、トナーボトル５４Ｙ及び廃トナー容器にはトナーが収容されている。
【００４７】
また、上述した動作と同様にして、第２像担持体４５Ｃ、第３像担持体４５Ｍ及び第４像担持体４５ＢＫ上にシアントナー像、マゼンタトナー像及びブラックトナー像がそれぞれ形成され、これらのトナー像がイエロートナー像の転写された中間転写ベルト４６上に順次重ねて一次転写される。
【００４８】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００４９】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００５０】
また、記録媒体搬送装置１４は中間転写ベルト４６の下方に配置されており、この記録媒体搬送装置１４は、転写紙又は樹脂シート等からなる記録媒体Ｓを収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００５１】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体上にトナー像が形成されるのである。
【００５２】
また、トナー像が形成された記録媒体は定着装置１３を通過し、このとき画像形成手段１２によって形成された記録媒体上のトナー像がその記録媒体に定着される。また、定着装置１３によって画像が定着された記録媒体Ｓは排紙ローラ対６０によって記録媒体排紙台６１上に排紙される。
【００５３】
この記録媒体排紙台６１は、画像形成手段１２を収納する第１の装置本体１５と画像読取装置１６を収納する第２の装置本体１７の間に形成されており、本実施の形態では、排紙ローラ対６０による記録媒体Ｓの排紙方向下流側の第１の装置本体１５及び第２の装置本体１７の間が開放される胴内排紙型の複写機１１となっている。
【００５４】
また、排紙ローラ対６０の上流側には切換レバー６２が設けられており、この切換レバー６２は記録媒体の表面の複写が終了したときに、記録媒体Ｓの裏面に複写を行うときに、反転通路６３側に切換えられるようになっている。
【００５５】
即ち、記録媒体Ｓの後端が排紙ローラ対６０に挟持されると、排紙ローラ対６０が逆転駆動するとともに、切換レバー６２が反転通路６３に連通する位置に切換えられ、記録媒体Ｓが反転通路６３に向かって搬送される。
【００５６】
この反転通路６３には反転ローラ対６４が設けられており、この反転ローラ対６４によって反転通路６３を搬送される記録媒体は、二次転写ローラ５６側に搬送される。
【００５７】
一方、スリットガラス３６上には反射ガイド板６５が設けられており、この反射ガイド板６５は原稿の読取時の白基準を構成するとともに、光源３７からの光を反射するようになっている。
【００５８】
また、コンタクトガラス３５とスリットガラス３６の間にはガイド部材が設けられており、このガイド部材７１は、スリットガラス３６を通過した原稿を掬い上げて搬送ローラ対２７に向かって案内するようになっている。
【００５９】
次に画像読取装置について説明する。図２は画像読取装置の要部の構造を示す部分断面図、図３は図２中のＡ−Ａ線に相当する断面図、図４は導光部材を示す斜視図、図５は導光部材中の光の経路を示す模式図である。本例に係る画像読取装置１６は、反射原稿の他透過原稿を読み取るため、スリットガラス３６を挟んで光源３７と、前記光源３７から透過原稿を読み取るための光束を導くための導光部材１００を備える。ここで、導光部材１００は、背景板７２（及び導光部材の上流側の搬送ガイド）よりも引っ込んだ位置に配置される。これにより、搬送されてきた原稿が導光部材に引っかからないようにできる。これにより導光部材に対して原稿が接触して導光部材の表面を傷つけることを防止することができる。
【００６０】
光源３７は、図２に示すように、基板３７ａ上に複数（ｎ個）のＬＥＤ発光素子３７−１〜３７−ｎを配列して構成される。また、導光部材１００は、第１導光部材１１０及び第２導光部材１２０から構成される。本例では、第１導光部材１１０は、長手方向の端面に受光面１１１となっており、長手方向に沿って反射部材１１２を備えている。受光面１１１から入射した光は、第１導光部材１１０の中を全反射しながら長手方向（図５中右方向）に進み、その一部が反射部材１１２で反射され、下方向に射出される。第２導光部材１２０は、本実施例では三角プリズム形状であり、受光面１２１から入射した光は、斜面１２３で直角に反射され、射出面１２２から出射される。射出面１２２から出た光は、第１導光部材１１０の受光面１１１に入射し、最終的に図中下方向に射出される。なお、射出面１２２には、光拡散効果を持つ処理を施しておくと、照度ムラが改善され画像読取時の濃度ムラを小さくすることができる。具体的には、拡散シートを貼り付けてもよいし、射出面にシボ加工を施してもよい。また、反射部材１１２は、反射シートを貼り付けてもよいし、反射効果を得られるような塗装を施すことができる。
【００６１】
本例では、前記ＬＥＤ発光素子３７−１〜３７−ｎは、反射原稿読み取り時に全てのＬＥＤ発光素子３７−１〜３７−ｎが発光し、透過原稿読み取り時は一部のＬＥＤ発光素子３７−１，３７−２が発光するよう制御される。
【００６２】
そして、反射原稿を読み取る場合、反射原稿はスリットガラス３６の左側から搬送され、スリットガラス３６と背景板７２の間を進み、ガイド部材７１によって掬い上げられて排紙される。スリットガラス３６の下には、光源３７、リフレクタ９０、第１ミラー３８を備えた第１走行体３９が配置されており、光源３７から出た光は直接又はリフレクタ９０で反射し、反射原稿面を照明する。そして、原稿１０５で反射した光は、第１ミラー３８を経て、結像レンズ４３を通してＣＣＤイメージセンサ４４に入射する。このようにして原稿画像がＣＣＤイメージセンサ４４に結像されることにより、反射原稿の画像が読み取られる。
【００６３】
また、透過原稿を読み取る場合、原稿搬送方向に沿って搬送されて来た透過原稿は、第１導光部材１１０の下を通過する。このとき光源３７のＬＥＤ発光素子３７−１，３７−２が点灯され、ＬＥＤ発光素子３７−１，３７−２からの光は、第２導光部材１２０を経て第１導光部材１１０に導かれ、第１導光部材１１０から下方向に射出される。そして、この光は原稿１０５を透過して、第１ミラー３８、結像レンズ４３を経てＣＣＤイメージセンサ４４に入射する。このようにして原稿画像がＣＣＤイメージセンサ４４に結像されることにより、透過原稿の画像が読み取られる。
【００６４】
次に第２の実施例に係る画像読取装置に使用される導光部材２００について説明する。図６は第２の実施例に係る画像読取装置の導光部材を示す断面図である。この導光部材２００は、第１導光部材２１０は長手方向の両側端部に受光面２１１，２１１を備える他、上面になだらかなＶ字状に形成された反射部材２１２を備えている。また、第２導光部材２２０は、受光面２２１、射出面２２２、斜面２２３を備えた三角プリズム形状で、前記２つの受光面２１１，２１１に対応して２個設けられる。そして、本例では、透過原稿読取時において、光源３７の両側のＬＥＤ発光素子（３７−１．３７−２、３７−（ｎ−１），３７−ｎ）を発光させる。本例によれば、入射光の量が増えるので最終的にＣＣＤイメージセンサへの入射光が増え、画質が向上する。
【００６５】
次に第３の実施例に係る画像読取装置に使用される導光部材３００について説明する。図７は第３の実施例に係る画像読取装置の導光部材を示す断面図である。この例では、第１導光部材１１０としては第１の実施例で使用したものと同一構造のものを、第２導光部材３２０として光ファイバグラスを使用している。なお、光の方向を変えてガイドするものであれば、前記三角プリズム状の部材であっても、本例のように光ファイバを使用するようにしてもよいし、また単純なミラーを用いるようにしてもよい。
【００６６】
以上説明したように前記各実施例によれば、背景板７２に第１導光部材１１０、第２導光部材１２０を備えた導光部材１００を設けると共に、光源３７におけるＬＥＤ発光素子３７−１〜３７−ｎの発光を制御するようにしたので、反射原稿及び透過原稿の両方を専用の光源が不要、電気的接続、透過原稿搬送手段も必要ない簡単な構成で行うことができる。また、背景板７２に導光部材１００を配置した状態で、反射原稿を読み取ることもできるため、両原稿の読取を行うとき余分な操作を行う必要がなく操作性が良好なものとなる。
【００６７】
なお、ＡＤＦ１８の背景板を、交換可能にしておき、反射原稿を読み取るとき、図８に示すように、導光部材が設けられていない背景板７３を使用するものとできる。このようにすれば、簡単な操作で反射、透過両方の原稿の読み取りを最適な状態で行うことができる。
【００６８】
次に第４の実施例に係る画像読取装置について説明する。図９は第４の実施例に係る画像読取装置の透過原稿読取時の状態を示す要部拡大断面図、図１０は第４の実施例に係る画像読取装置の反射原稿読取時の状態を示す要部拡大断面図である。この実施例では、透過原稿の読み取り時と、反射原稿読み取り時で、第１走行体３９の位置を変えるようにしている。即ち、透過原稿の読み取りときには、図９に示すように、第１走行体３９は、第１ミラー３８が第１導光部材１１０の直下になる位置に配置される。一方反射原稿を読み取るときには、図１０で示すように、第１走行体３９は、第１ミラー３８が背景板７２の直下になる位置に配置される。
【００６９】
本実施例によれば、第１走行体３９の位置、即ち原稿の読み取り位置を変えることにより、反射原稿と透過原稿の読み取りを切換える。このため、原稿搬送経路は、画像を読み取る位置で原稿が安定するように設計する必要がある。また、スリットガラスと原稿が離れるとピントが悪くなり、画像品質が低下することとなるため注意が必要となる。
【００７０】
しかし、原稿搬送経路は、レイアウト上の制約から湾曲していることが多く、原稿の腰の強さによって搬送経路内での形状に違いができる。そのため、原稿読取に最も適した位置は原稿の厚さ、腰の強さ等によって変わる。通常、透過原稿は写真フィルムであることが多く、紙の原稿よりも厚く、腰も強い場合が多い。同一の原稿搬送装置で搬送した場合、原稿読取に適した位置は紙原稿とは異なる。本実施例では、反射原稿と透過原稿で、異なる読取位置で読み取ることができるため、どちらの原稿においても最適な位置で画像を読み取ることができる。また、第１導光部材１１０の直下で反射原稿を読み取った場合、反射原稿を透過した光が導光部材内で反射し、原稿を裏から照明する可能性がある。特に両面原稿で薄い紙のとき、裏側の文字が画像上に現れる恐れがあるがこのような事態を回避することができる。そして、この場合、反射原稿読取時に第１導光部材１１０の直下と異なる位置で読取を行うと裏側の文字を読んでしまう現象を防止できる。本実施例によれば、第１走行体３９の位置、即ち読み取り位置を変えるようにしたので、反射原稿と透過原稿のそれぞれに対する最適条件で原稿読取ができる。
【００７１】
次に第５の実施例に係る画像読取装置について説明する。図１１は第５の実施例に係る画像読取装置の導光部材を示す斜視図、図１２は第５の実施例に係る画像読取装置の導光部材における光路を示す模式図である。本実施例に係る導光部材４００は、前記第１実施例に係る第１導光部材１１０と第２導光部材１２０とを一つの部材で実現している。本実施例の導光部材３００は、長手方向の端部付近で図の下方向からの光を受ける受光面４１１、斜面４１２、反射部材４１３、射出面４１４を備えている。受光面４１１から入射した光は、斜面４１２で反射して方向を変えられ、導光部材３００内部を全反射しながら進み、その一部が反射部材４１３によって反射して、図の下方向にむき射出面４１４から射出される。本実施例によれば、一つの導光部材で透過原稿照明を実現でき、部品点数の削減を行うことができ、画像読取装置の構成を単純にしてコストを低減することができる。
【００７２】
次に第６の実施例に係る画像読取装置について説明する。図１３は第６の実施例に係る画像読取装置の作動を示すフローチャートである。本例に係る画像読取装置は、前記第１乃至第５の実施例に係る画像読取装置と同様の構成を備える。本例に係る画像読取装置は、原稿が反射原稿か透過原稿かによって原稿を異なる速度で搬送する。これにより原稿の種類により読取速度を変えるのである。まず、操作者が原稿の種類を例えば操作パネル等を使用して入力する（ステップＳＴ１）。入力された原稿が反射原稿の場合読み取り速度としてＸ１が制御手段に設定され（ステップＳＴ２，ステップＳＴ３）、入力される原稿が透過原稿の場合は読取速度としてＸ２の値が制御手段にセットされる（ステップＳＴ２，ステップＳＴ４）。
【００７３】
本例に係る画像読取装置では、反射原稿読み取り時は光源３７の全てのＬＥＤ発光素子を点灯するが、透過原稿の読み取り時は、光源の一部のみを点灯する。このため、反射原稿読み取り時と比較して、透過原稿読取時はＣＣＤ等の受光素子への入射光は少なくなることとなる。このため、透過原稿の読み取り時には原稿の搬送速度、即ち原稿の読み取り速度を遅くし、且つＣＣＤ等の動作周波数を下げることにより、光の蓄積時間が長くなり、ＣＣＤの出力電圧が高くなり画像品質が向上する。
【００７４】
透過原稿としては、モノクロ、ポジカラー、ネガカラー等の種類があり必要照度が異なるため、その種類によって細かく読み取り速度を変えられるようにするとさら良好な画像読取を行うことができる。本例によれば、原稿種類に対して最適な光量での読み取りができるので、読み取った画像の品質が向上する。
【００７５】
次に第７の実施例に係る画像読取装置について説明する。図１４は第７の実施例に係る画像読取装置を示す断面図、図１５は画像読取装置の側面図、図１６は導光部材を示す斜視図である。本実施例に係る画像読取装置では、透過性の原稿１０５を照明するための導光部材として導光部材群５１０を採用している。導光部材群５１０は、図１６に示すように、導光部材５１１を複数並設して形成する。導光部材５１１は、上述した導光部材１００（図４参照）と同様に第１導光部材１１０と、第２導光部材１２０とを接合して形成する（図４参照）。また、射出面１２２には、光拡散効果を持つ処理を施しておくと、照度ムラが改善され画像読取時の濃度ムラを小さくすることができる。具体的には、拡散シートを貼り付けてもよいし、射出面にシボ加工を施してもよい。また、反射部材１１２は、反射シートを貼り付けてもよいし、反射効果を得られるような塗装を施すことができる。
【００７６】
なお、第１導光部材の形状を変形したり（図６参照）、２導光部材の形状を変更したり（図７参照）したりすることができる他、第１導光部材１１０と第２導光部材１２０とを一体のものとして構成することができる（図１１参照）。
【００７７】
この例では導光部材群５１０は、スリットガラス３６の下流に配置されるコンタクトガラス３５の上側に配置されている。即ち導光部材群５１０は、ＡＤＦ１８（図１参照）に配置され、ＡＤＦ１８で搬送された原稿１０５をコンタクトガラス３５に押圧する押圧板（図示していない）に配置される。また、導光部材群５１０は原稿１０５の全域を覆い透過原稿全域に透過光を照射することが望ましく、このような状態で光源３７と第１ミラー３８を持つ第１キャリッジ３９を移動させながらコンタクトガラス３５上に置かれた透過性の原稿１０５の画像情報を読み取る。
【００７８】
ここで、光源３７は、反射原稿の読取時においてその全てのＬＥＤ発光素子３７−１〜３７−ｎを点灯させるのに対し、透過原稿を読取時においては、図１５に示すように、一部の光源３７−１，３７−２だけを点灯させる。図１５に示すように、光源３７−１，３７−２から出た光は、導光部材５１１の受光面１２１から入射し射出面１２２で反射されて第１導光部材１１０を進み反射部材１１２で最終的に図中下方向に射出される。したがって第１キャリッジ３９が移動するとその動作と同期して導光部材群５１０から射出される光も移動して原稿１０５を全面にわたり照明することとなる。本実施例によれば、透過原稿に対して読み取り部分のみを効率よく照明することができる。
【００７９】
また、導光部材５１１を組み合わせて導光部材群５１０を構成するには様々な方法を採用することができる。例えば複数の導光部材の外側に枠を設けてこれらを固定することができる。また、隣接する導光部材を接着することもできる。
【００８０】
次に第８の実施例について説明する。図１７は第８の実施例に係る画像読取装置を示す断面図、図１８は第８の実施例に係る画像読取装置に使用する導光部材を示す斜視図である。この実施例で使用される導光部材群５３０は複数の導光部材５３１の間に間隔を開けて空気層５３２を配置する他、複数の導光部材５３１の射出面側に導光部材５３１から射出される光を拡散させる拡散板１４０を設けている。このように導光部材５３１間に空気層５３２を設けることにより、導光部材の側面での光が反射率を向上させることができ、側面から漏れる光の量を減少させ、光の利用効率を向上させることができる。本例によれば、導光部材５３１の間から光が射出されない他、拡散部材により拡散された光が導光部材間にも導かれ、ムラのない照明ができる。
【００８１】
次に第９の実施例について説明する。図１９は第９の実施例に係る導光部材を示す斜視図である。この実施例では、導光部材群を構成する導光部材５４１の第１導光部材１１０の側面側端部に突起部５４２を形成している。本例によれば、複数の導光部材５４１を板厚方向に並べて配置し、前記導光部材群５３０と同様の導光部材群を形成するとき、各導光部材５４１間の間隔寸法を容易且つ精度よく設定することができる。
【００８２】
次に第１０の実施例について説明する。図２０は第１０の実施例に係る導光部材を示す斜視図である。この実施例では、導光部材群５５０は、複数の導光部材５５１を拡散板１４１に配置するものである。導光部材５５１は、前記導光部材５３１と同様に第１導光部材１１０と第２導光部材１２０とを接合して構成し、拡散板１４１は、前記第１導光部材１１０を位置決めする複数の凸形状部１４２を形成し、これらの凸形状部１４２の間に複数の凹形状部１４３を形成して構成されている。本例では、凹形状部１４３に前記導光部材５５１の第１導光部材１１０を嵌合させることにより、容易且つ高精度で導光部材５５１の位置決めを行うことができる。なお、導光部材５５１としては第１導光部材１１０と第２導光部材１２０を一体としたものや前記変形例を使用することができる。
【００８３】
次に第１１の実施例について説明する。図２１は第１１の実施例に係る導光部材を示す斜視図である。この実施例に係る導光部材群５６０は、複数の導光部材５６１が空気層５６２を挟んで複数並設するよう一体成形して構成され、拡散板１４０上に配置されている。なお、拡散板１４０は導光部材群５６０と一体化することができる。また、この例では、導光部材５６１として第１導光部材と第２導光部材を一体化したものを、更に複数個一体化しているが、第１導光部材のみを一体化して、第２導光部材は別部材とすることができる。
【００８４】
次に第１２の実施例について説明する。図２２は第１２の実施例に係る導光部材を示す斜視図である。本例に係る導光部材群５７０は、複数の導光部材５７１が空気層５７２を挟んで並設するよう一体成形して構成され、拡散板１４０上に配置されている。なお、拡散板１４０は導光部材群５７０と一体化することができる。そして、本例では導光部材５７１の側面５７１ａが傾斜して、導光部材５７１の断面形状が上辺より下辺が大きい略台形状に形成されている。本例では、成形時の型分割方向に対して傾斜しているので、側面の面精度を向上させることができ、側面における光の反射率を高いものとできるので、全体として効率のよい導光部材を実現でき、側面５７１ａに光を全反射させるための鏡面加工を施す必要がない。
【符号の説明】
【００８５】
１１  複写機
１２  画像形成手段
１３  定着装置
１４  記録媒体搬送装置
１５  第１の装置本体
１６  画像読取装置
１７  第２の装置本体
１８  自動原稿搬送装置（ＡＤＦ）
２０  原稿載置台
２１  ピックアップローラ
２２  給紙ベルト
２３  リバースローラ
２４  搬送ローラ対
２５  原稿搬送手段
２６  原稿排紙台
２７  搬送ローラ対
２８  排紙ローラ対
２８ａ  駆動ローラ
２８ｂ  従動ローラ
２８ｃ  従動ローラ
２９  原稿排紙手段
３０  切換爪
３１  スイッチバック通路
３２  スイッチバックローラ対
３４  光学系
３５  コンタクトガラス
３６  スリットガラス
３７  光源
３７−１〜３７−ｎ  ＬＥＤ発光素子（発光素子）
３７ａ  基板
３８  第１ミラー
３９  第１走行体
４０  第２ミラー
４１  第３ミラー
４２  第２走行体
４３  結像レンズ
４４  ＣＣＤイメージセンサ
４５Ｙ〜４５ＢＫ  第１〜第４像担持体
４６  中間転写ベルト
４７  帯電ローラ
４８  ユニット
４９  現像装置
５０  一次転写ローラ
５１  クリーニング装置
５２  クリーニング装置
５３  現像容器
５４Ｃ、５４Ｍ、５４ＢＫ  トナーボトル
５４Ｙ  トナーボトル
５５  クリーニング容器
５６  二次転写ローラ
５７  給紙カセット
５８  給紙ローラ
５９  レジストローラ対
６０  排紙ローラ対
６１  記録媒体排紙台
６２  切換レバー
６３  反転通路
６４  反転ローラ対
６５  反射ガイド板
７１  ガイド部材
７２  背景板
７３  背景板
９０  リフレクタ
１００  導光部材
１０５  原稿
１１０  第１導光部材
１１１  受光面
１１２  反射部材
１２０  第２導光部材
１２１  受光面
１２２  射出面
１２３  斜面
２００  導光部材
２１０  第１導光部材
２１１，２１１  受光面
２１２  反射部材
２２０  第２導光部材
２２１  受光面
２２２  射出面
２２３  斜面
３００  導光部材
３２０  第２導光部材
４００  導光部材
４１１  受光面
４１２  斜面
４１３  反射部材
４１４  射出面
５１０  導光部材群
５１１  導光部材
５３０  導光部材群
５３１  導光部材
５３２  空気層
５４１  導光部材
５４２  突起部
５５０  導光部材群
５５１  導光部材
５６０  導光部材群
５６１  導光部材
５６２  空気層
５７０  導光部材分
５７１  導光部材
５７１ａ  側面
５７２  空気層
【先行技術文献】
【特許文献】
【００８６】
【特許文献１】特開平０４−１５６１６６号公報
【特許文献２】特開平１０−１９０９６３号公報
【特許文献３】特開平０５−０３０２９６号公報
【特許文献４】特開２０００−８９０３０公報
【図１】
0005408537.tif 000002
【図２】
0005408537.tif 000003
【図３】
0005408537.tif 000004
【図４】
0005408537.tif 000005
【図５】
0005408537.tif 000006
【図６】
0005408537.tif 000007
【図７】
0005408537.tif 000008
【図８】
0005408537.tif 000009
【図９】
0005408537.tif 000010
【図１０】
0005408537.tif 000011
【図１１】
0005408537.tif 000012
【図１２】
0005408537.tif 000013
【図１３】
0005408537.tif 000014
【図１４】
0005408537.tif 000015
【図１５】
0005408537.tif 000016
【図１６】
0005408537.tif 000017
【図１７】
0005408537.tif 000018
【図１８】
0005408537.tif 000019
【図１９】
0005408537.tif 000020
【図２０】
0005408537.tif 000021
【図２１】
0005408537.tif 000022
【図２２】
0005408537.tif 000023